(57)【要約】【課題】ホースを、容易に且つ美しく纏めてタンク外周面に巻き付けることができる、液体散布器を提供する。【解決手段】タンク１０内に入れた農薬等の薬液や希釈水等の液体を、該タンクに接続したホース１５を介してノズル組立体１４から散布する液体散布器において、タンク１０の外周面上に、ホース１５を該タンクの外周面上に、螺旋状に１周ずつ隣接して巻き付けた状態に保持すべく、該ホースの外径寸法にほぼ等しい溝幅寸法で該ホースを挟み付ける溝が設けられており、この溝は、タンクの外周面上に、所定の中心角範囲内で径方向外方へ突出する複数条の平行リブ１８によって形成される。【選択図】図１
2004065081.tif 000002
【特許請求の範囲】
【請求項１】
タンク（１０）内に入れた農薬等の薬液や希釈水等の液体を、該タンクに接続したホース（１５）を介してノズル組立体（１４）から散布する液体散布器において、
上記タンク（１０）の外周面上に、上記ホース（１５）を該タンク（１０）の外周面上に、螺旋状に１周ずつ隣接して巻き付けた状態に保持すべく、該ホースの外径寸法にほぼ等しい溝幅寸法で該ホースを挟み付ける溝を設けたことを特徴とする液体散布器。
【請求項２】
上記溝は、上記タンク（１０）の外周面上に、所定の中心角範囲内で径方向外方へ突出する複数条の平行リブ（１８）によって形成される、請求項１記載の液体散布器。
【発明の詳細な説明】
【０００１】
【発明の属する技術分野】
本発明は、タンク内に入れた農薬等の薬液や希釈水等の液体を、該タンクに接続したホースを介してノズル組立体から散布する液体散布器に関する。
【０００２】
【従来の技術】
園芸用噴霧器等の液体散布器は、一般に、農薬等の薬液や希釈水等の液体を入れるタンクと、このタンク内を加圧するピストンおよびシリンダを有する手押し式加圧ポンプと、タンク内の薬液を散布するためのノズルおよびその連結ホースとを備えている。尚、ここで「散布」と言う用語を用いているのは、「散布」の用語には、液体を霧状にして散布する場合のほか、シャワー状や他の噴出状態にして散布する場合も含めていることを意図するものである。
【０００３】
従来の、例えば園芸用噴霧器では、タンクとノズル組立体との間を連結するホースを不使用時に収納保管するための特別の構成を備えているものはなく、普通は、ホースを幾重にも環状に巻いて一束に纏め、この纏めたものを加圧ポンプのハンドルやピストンロッドに引っ掛けた状態のままで倉庫等に保管したり、或いはホース自体をタンクおよびノズル組立体から取り外し、ホースだけは一束に纏め、分解された状態でそれぞれを包装箱内に収めたりして保管しているのが現状である。
【０００４】
いずれにしても、保管収納時の形態は特に指定されているわけでなく、使用者が任意の形態で収納している。しかし、特にホースは、几帳面に纏めて収納しておかないと、いざ使用となったときに絡まったりし、また、そのようなことがないように纏めておこうとすると、その作業も面倒であり、いずれにしても使用者にとって使い勝手の悪いものであった。また、纏めず乱雑に放置しておくのは、他の保管物等の収納や取り出しに邪魔となり、保管場所の機能性を損なうばかりか、その保管場所の美的空間をも損なうことになる。
【０００５】
また、電気機器における電源用コードなども上述したようなホースと同様の問題を含んでいるが、電気コードは一般に柔軟性が高く、適当な長さに折り畳んで結束バンドで束ねるものや巻取りリール式のものが多く知られている。また、機器の形態によっては本体の外周面に巻き付けるものもあったりするが、電気コードの巻き付け方自体は自由であり、多少乱雑に巻き付けても美観に大きな影響を与えることがないためか、整然と巻き付けられるようになっているものはない。
【０００６】
【発明が解決しようとする課題】
本発明は、従来の液体散布器、特に園芸用噴霧器において、ホースの収納形態に関する問題を解決すべく創案されたものである。したがって本発明の目的は、ホースを、容易に且つ美しく纏めてタンク外周面に巻き付けることができる、液体散布器を提供することにある。
【０００７】
【課題を解決するための手段】
本発明に係る液体散布器は、上述の目的を達成するために以下のような構成を備えている。すなわち、タンク内に入れた農薬等の薬液や希釈水等の液体を、該タンクに接続したホースを介してノズル組立体から散布する液体散布器において、タンクの外周面上に、上記ホースを該タンクの外周面上に、螺旋状に１周ずつ隣接して巻き付けた状態に保持すべく、該ホースの外径寸法にほぼ等しい溝幅寸法で該ホースを案内する溝が設けられている。
【０００８】
上記溝は、上記タンクの外周面上に、所定の中心角範囲内で径方向外方へ突出する複数条の平行リブによって形成されるのが好ましい。
【０００９】
【発明の実施の形態】
図１は、本発明に係る液体散布器の一例としての園芸用噴霧器の正面図である。図中１０は、農薬等の薬液と希釈水とを入れるタンクである。１１は、タンク１０内を加圧するピストンおよびシリンダを有する手押し式加圧ポンプであり、図にはポンプ１１のハンドルが描かれている。１２は薬液注入口のキャップであり、その中央に安全弁１３が取り付けられている。１４はノズル組立体であり、ホース１５を介してタンク１０に連結されている。
【００１０】
この噴霧器は、例えば、家庭でのガーデニングのように、少量で草花に殺虫剤等の農薬を噴霧するのに適するように、容量２リットル程度の小型タンクを有している。タンク１０は上部部材１６と下部部材１７とから構成されており、特に下部部材１７は半透明の透光性を与えることによって、タンク全体の見た目の印象が大袈裟にならないようにコンパクトな印象を与えるデザインにされている。
【００１１】
タンク１０の上部部材１６には、その外径寸法が最も大きくなる部分のあたりの外周面上に、径方向外方へ突出する３本の平行なリブ１８の組が、径方向反対側の位置にそれぞれ形成されている。各リブ１８は、図２に示すように、ホース１５の外径寸法にほぼ等しい間隔で設けられており、その二つのリブ１８の間にホース１５を挟み付けることができる。したがって、これらリブ１８は、その間にホース１５を挟み付ける溝を形成する。
【００１２】
リブ１８は、タンク１０の外周の全周にわたって形成されているのではなく、所定の中心角（図示例では約７０度）範囲内で形成されているので、二つのリブ１８の間に形成される一つの溝内に挟み付けられてタンク１０の外周に巻き付けられるホース１５は、リブ１８のない箇所で隣のもう一つの溝へ移ることができる。すなわち、ホース１５は、リブ１８に沿うかたちでタンク１０の外周に螺旋状に巻き付けられる。例えば、外径が約２０ｃｍのタンクの場合、その外周に２周分のホースを巻き付けるとすると、約１．３〜１．５ｍのホースをタンクの外周面にたるみなく綺麗に巻き付けて収納保管することができる。巻き付け作業は簡単でありながら、巻き付けられた状態は美的に優れており、さらには、使用時にホースをリブ間から解くのも、ホースを巻き戻すだけでよいので簡単である。
【００１３】
特に、図示例のリブ１８は、ホース１５が巻き付けられていない状態ではホース１５を巻き付けるための構成には見えず、デザイン的なアクセントのように見えるため、タンク１０自体の、或いは噴霧器自体のデザイン的要素をなしており、全体的に優れたデザイン性を与えている。すなわちリブ１８は、ホース１５を巻き付けてもこれを綺麗に保持し、ホース１５を解いても美的デザインを提供し、噴霧器の使用時・不使用時を通して機能性と審美性を貫いている。
【図面の簡単な説明】
【図１】本発明に係る液体散布器の正面図である。
【図２】図１に示す液体散布器のリブの間に、ホースを挟み付けた状態を説明する図である。
【符号の説明】
１０　タンク
１１　加圧ポンプ
１２　キャップ
１３　安全弁
１４　ノズル組立体
１５　ホース
１６　タンクの上部部材
１７　タンクの下部部材
１８　リブ
【図１】
2004065081.tif 000003
【図２】
2004065081.tif 000004